(57)【要約】【課題】配送物が見える状態で発送し、受け取った者が即座に内容物を確認できる安価な封筒を提供することを目的とする。【解決手段】前記課題の目的を達成するために、長方形の基紙と、前記基紙と略同じ大きさの透過性基材で宛先記載紙片を含む送付物を密封して送付する封筒であって、基紙の片面には少なくとも一部に粘着剤層が形成され、基紙と透過性基材とは長方形の１端に沿って形成された綴じ部で綴じ合わされた内容物透視封筒を提供する。【選択図】  図１
2006224971.tif 000002
【特許請求の範囲】
【請求項１】
長方形の基紙と、前記基紙と略同じ大きさの透過性基材で宛先記載紙片を含む送付物を密封して送付する封筒であって、
基紙の片面には少なくとも一部に粘着剤層が形成され、基紙と透過性基材とは長方形の１端に沿って形成された綴じ部で綴じ合わされたことを特徴とする内容物透視封筒。
【請求項２】
請求項１に記載の内容物透視封筒において、
粘着剤層は、熱，水，圧によって活性化される材料を含む材料で形成されたことを特徴とする内容物透視封筒。
【請求項３】
請求項１〜２に記載の内容物透視封筒において、
基紙の片面に形成された粘着剤層が再剥離再貼付可能な粘着剤のときは、
綴じ部に対向する一端に剥離紙で覆われた粘着テープが形成されたことを特徴とする内容物透視封筒。
【請求項４】
請求項１〜２に記載の内容物透視封筒において、
基紙の片面に形成された粘着剤層が強粘着剤のときは、
粘着剤層の少なくとも一部領域に、透過性基材との接着を防ぐための剥離紙が形成されたことを特徴とする内容物透視封筒。
【請求項５】
請求項１〜３何れか１項に記載の内容物透視封筒において、透過性基材は、樹脂フィルム，グラシン紙の何れかであることを特徴とする内容物透視封筒。
r 2セ8c;
【発明の詳細な説明】
【技術分野】
【０００１】
本発明は、開封する前に内容物を確認することができる内容物透視封筒に関する。
【背景技術】
【０００２】
近年、運送会社による宅配配送物が当たり前のように利用されている。このような配送物の中から、「紛失時の損害額の減額」，「小サイズに限定」，「ポストインで判取り不要」を条件に、配送伝票のコストダウンを図り、バーコード追跡システムを維持しつつ配送費用のコストダウンを実現した「メール便」と呼ばれる宅配サービスが定着しつつある。
宅配配送物の中には「第１種郵便物」，「第２種郵便物」の規定から外れる、例えば、カタログやチラシ等の配送物が多く、これらの配送物を「簡便に、安く配送したい」というニーズから「メール便」システムが開発された。
「メール便」システムを含め、宅配用で使用される封筒に関して多くの提案がなされている。
そこで、例えば、費用ならびに資源の無駄をなくするために送信は宅配便で、返信は郵便で配達するための封筒が提案されている（例えば、特許文献１参照。）。
また、封筒の片側を透明なものにして、その上から紙を貼って中を見えなくし、受け取った者は、その紙を剥がして内容物を確認することによって、返品したい時に開封せずに返送できるという封筒が提案されている（例えば、特許文献２参照。）。
【０００３】
【特許文献１】特開２００３−３４１６８５号公報
【特許文献２】特開２００４−１６８４１３号公報
【発明の開示】
【発明が解決しようとする課題】
【０００４】
特許文献1に記載の発明は、封筒を２段構成として、返信時に、切り取った何れかの封筒を別な送付手段で送付するための封筒である。
特許文献２に記載の発明は、開封する前に内容物を確認させるために封筒に透明部分を設け、その部分に紙を貼って送付すると、受け取った者は透明部分に貼付された紙を剥がして中身を確認するという封筒である。
本発明は、配送物が見える状態で発送し、受け取った者が即座に内容物を確認できる安価な封筒を提供することを目的とする。
【課題を解決するための手段】
【０００５】
前記課題の目的を達成するために、本発明の内容物透視封筒の請求項1に記載の発明は、長方形の基紙と、前記基紙と略同じ大きさの透過性基材で宛先記載紙片を含む送付物を密封して送付する封筒であって、基紙の片面には少なくとも一部に粘着剤層が形成され、基紙と透過性基材とは長方形の１端に沿って形成された綴じ部で綴じ合わされたことを特徴とするものである。
【０００６】
また、請求項２に記載の発明は、請求項１に記載の発明において、粘着剤層は、熱，水，圧によって活性化される材料を含む材料で形成されたことを特徴とするものである。
【０００７】
また、請求項３に記載の発明は、請求項１〜２に記載の発明において、基紙の片面に形成された粘着剤層が再剥離再貼付可能な粘着剤のときは、綴じ部に対向する一端に剥離紙で覆われた粘着テープが形成されたことを特徴とするものである。
【０００８】
また、請求項４に記載の発明は、請求項１〜２に記載の発明において、基紙の片面に形成された粘着剤層が強粘着剤のときは、粘着剤層の少なくとも一部領域に、透過性基材との接着を防ぐための剥離紙が形成されたことを特徴とするものである。
【０００９】
また、請求項５に記載の発明は、請求項１〜４何れか１項に記載の発明において、透過性基材は、樹脂フィルム，グラシン紙の何れかであることを特徴とするものである。
【発明の効果】
【００１０】
１）請求項1に記載のように、長方形の基紙と、前記基紙と略同じ大きさの透過性基材で宛先記載紙片を含む送付物を密封して送付する封筒であって、基紙の片面には少なくとも一部に粘着剤層が形成され、基紙と透過性基材とは長方形の１端に沿って形成された綴じ部で綴じ合わされたことによって、封筒を受け取った者は、手に取った瞬間に封筒内容物を確認することができ、開封率の向上を期待することができる。
また、内容物が送付途中で位置ずれを起こすことがないために、受け取った者に発送した時点と同じ状態で見てもらうことができる。
２）また、請求項２に記載のように、請求項１に記載の発明において、粘着剤層は、熱，水，圧によって活性化される材料を含む材料で形成されたことによって、粘着剤の選択肢が広がり、封筒作製時の自由度を高めることができる。
３）また、請求項３に記載のように、請求項１〜２に記載の発明において、基紙の片面に形成された粘着剤層が再剥離再貼付可能な粘着剤のときは、綴じ部に対向する一端に剥離紙で覆われた粘着テープが形成されたことによって、封入する内容が軽くて薄い場合などに便利で、製造者側は安価な封筒として供給することができる。
４）また、請求項４に記載のように、請求項１〜２に記載の発明において、基紙の片面に形成された粘着剤層が強粘着剤のときは、粘着剤層の少なくとも一部領域に、透過性基材との接着を防ぐための剥離紙が形成されたことによって、重い送付物に対して適用することができる。
５）また、請求項５に記載のように、請求項１〜４何れか１項に記載の発明において、透過性基材は、樹脂フィルム，グラシン紙の何れかであることによって、グラシン紙を選択できた場合は、環境にやさしい安価な封筒として提供することができる。
【発明を実施するための最良の形態】
【００１１】
以下、図面を参照して本発明の内容物透視封筒について説明する。
図１は、本発明の内容物透視封筒に内容物を密封した状態の一例について説明するための図，図２は、本発明の内容物透視封筒に内容物を密封する手順の一例について説明するための図，図３は、図２のａ図のＡ−Ａ線断面図，図４は、本発明の内容物透視封筒の他の一例について説明するための図，図５は、図４のＢ−Ｂ線断面図，である。
【００１２】
図１を参照して、本発明の内容物透視封筒に内容物を密封した状態の一例について説明する。
内容物透視封筒１は、先ず、長方形の基紙（図示せず）に内容物投入枠１４や、メール便表示絵柄などを印刷し、粘着剤１１を全面に塗布し、基紙と透過性基材（図示せず）を綴じ部１２で接合して作製する。
粘着剤が、再剥離再貼付可能な粘着剤の場合は、基紙面の、綴じ部１２の対向部の端部に封緘用の粘着テープ１３を貼付し、基紙と透過性基材を全面貼り合わせる。
封筒に入れて送付したい送付物（以下、内容物という。）の一つ、宛先情報記載シート３に宛先情報３１を記載し、内容物２と一緒に内容物透視性封筒１に密封する。
内容物を密封する際に、基紙に印刷された内容物投入枠からはみ出さないように粘着剤層１１で宛先情報記載シート３と内容物２を固定する。
宛先情報記載シート３には、あらかじめ内容物に関する内容物関連情報３２を印刷してもよい。
宛先情報記載シート３には、配送管理のためにバーコード等の光読取コードを印刷してもよい。
内容物２は、試供品や、サンプルなどが多いが、嵩張らない状態でパックされるように配慮される。
【００１３】
基紙に形成された粘着剤が強粘着タイプの粘着剤の場合は、透過性基材（図示せず）を一旦閉じると再剥離することができないために、基紙と透過性基材の間に剥離紙を介在させ、綴じ部１２で接合する。
宛先情報記載シート３に宛先情報３１を記載し、内容物２と一緒に内容物透視性封筒１に密封する。
内容物などを密封する際に、先ず、剥離紙の中央部分だけをスリットに沿って引き剥がし、宛先情報記載シート３と内容物２を、内容物投入枠からはみ出さないように粘着剤層１１で固定する。
粘着剤が強粘着タイプの粘着剤の場合は、内容物２は、多くの場合、重量物を対象とする場合が多く、内容物を包装している材料も強靭な材料でパックされる。
【００１４】
図２を参照して、本発明の内容物透視封筒に内容物を密封する手順の一例について説明する。
ここで説明する内容物透視封筒は、粘着剤層として再剥離再貼付可能な粘着剤を使用した内容物透視封筒である。
ａ図に示す内容物透視封筒１には、長方形の基紙に内容物投入枠や、メール便表示絵柄１０１などが印刷され、基紙の全面に粘着剤層１１が形成され、基紙と透過性基材が綴じ部１２で接合されている。
粘着剤が、再剥離再貼付可能な粘着剤のため、基紙面の、綴じ部１２の対向部の端部に封緘用の粘着テープ１３が貼付されている。
【００１５】
ｂ図に示すように、内容物を密封するために、内容物透視封筒の透過性基材１１０を基紙１００から粘着剤層の塗布面にそって引き剥がす。
【００１６】
ｃ図に示すように、透過性基材１１０が引き剥がされて表出した粘着剤層の表面に、宛先情報が記載された宛先情報記載シート３と内容物２を貼付する。
宛先情報が記載された宛先情報記載シート３と内容物２を基紙面に印刷された内容物投入枠１４の内側に収まるように貼付する。
【００１７】
図示しないが、内容物等を粘着剤層表出面に貼付したら、粘着テープ１３の剥離紙を剥ぎ取って粘着テープの粘着面を表出し、透過性基材１１０を基紙１００に接着して封緘する。
【００１８】
図３を参照して、図２のａ図のＡ−Ａ線断面について説明する。
内容物透視封筒の裏側から順番に、基紙１００，メール便表示絵柄１０１の印刷インキ，粘着剤層１１，透過性基材１１０，が積層されている。
基紙１００と透過性基材１１０は、綴じ部１２で、例えば、強粘着剤を介して綴じ合わされている。
この綴じ部１２は、接合強度を必要とする場合は、この部分に再剥離再貼付可能な粘着剤層を形成せず、直接基紙１００と透過性基材１１０を綴じ合わせることができる。
また、綴じ部１２に対向する一端には、接着テープ１３が形成されている。接着テープ１３は、剥離紙（セパレータ）１３０と粘着剤１３１で構成されている。
【００１９】
図４を参照して、本発明の内容物透視封筒の他の一例について説明する。
ここで説明の対象とする内容物透視封筒は、粘着剤層に強粘着型粘着剤を使用した内容物透視封筒である。
内容物透視封筒１の長方形の基紙（図示せず）には強粘着型の粘着剤（図示せず）が塗布され、その上部全面に剥離紙１５が積層されている。
剥離紙１５は、切込み１５１によって中央部剥離紙１５３，周辺部剥離紙１５４，１５５に分割されている。
中央部剥離紙１５３には、メール便表示絵柄１０１などが印刷されている。周辺部剥離紙１５５と透過性基材（図示せず）は、綴じ部１５２で接合されている。
【００２０】
内容物を密封するために、透過性基材（図示せず）を捲り、中央部剥離紙１５３を粘着剤層から引き剥がす。
中央部剥離紙１５３を剥ぎ取った開口部に宛先情報が記載された宛先情報記載シートと内容物を貼付する。
周辺部剥離紙１５４を粘着剤層から引き剥がして接着代を確保し，透過性基材を捲る前の状態に戻し、内容物を被覆する。
封緘の強度をさらに強くしたい場合は、周辺部剥離紙１５５を粘着剤層から引き剥がし、さらに綴じ部１５２から引き剥がして透過性基材と基紙を強粘着型粘着剤層を介して貼り合わせる。
【００２１】
図５を参照して、図４のＢ−Ｂ線断面について説明する。
内容物透視封筒の裏側から順番に、基紙１００，メール便表示絵柄１０１の印刷インキ，粘着剤層１１，剥離紙１５，透過性基材１１０が積層されている。
剥離紙１５と透過性基材１１０は、綴じ部１５２で接着剤によって接合されている。
剥離紙１５には、剥離紙を中央部剥離紙，周辺部剥離紙に分割するための切込み１５１が形成されている。
【００２２】
本発明で使用される粘着剤類、及び、接着剤の一例について説明する。
先ず、再剥離再貼付可能な粘着剤として、ガラス転移温度が低いアクリル樹脂をエマルジョン化した粘着剤に微球を添加したもの（例えば、日本カーバイト社製Ｂ−７５８９）や、前記粘着剤に硬化剤を添加したもの（例えば、２ＥＨＡ）等を使用する。
強粘着型粘着剤としては、市販の、アクリル酸エステルをトルエン、酢酸エチル等の有機溶媒中で重合したものや、アクリル酸ブチル，アクリル酸２−エチルヘキシル等のガラス転移点の低いモノマーにガラス転移点の高い酢酸ビニル、水酸基モノマ、スチレン、不飽和カルボン酸等のモノマを共重合したもの等から任意に選択して使用する。
粘着テープは、市販の粘着テープを使用する。
また、接着剤としては、澱粉系，酢酸ビニル系，ＥＶＡ系，ポリウレタン系，ポリビニルアルコール系，アクリル系その他から任意に選択して使用する。
【産業上の利用可能性】
【００２３】
本発明の内容物透視封筒は、サンプル（試供品）や、販促物，カタログなどを送付する封筒として利用できる。
【図面の簡単な説明】
【００２４】
【図１】本発明の内容物透視封筒に内容物を密封した状態の一例について説明するための図である。
【図２】本発明の内容物透視封筒に内容物を密封する手順の一例について説明するための図である。
【図３】図２のａ図のＡ−Ａ線断面図である。
【図４】本発明の内容物透視封筒の他の一例について説明するための図である。
【図５】図４のＢ−Ｂ線断面図である。
【符号の説明】
【００２５】
１      内容物透視封筒
２      内容物，送付物
３      宛先情報記載シート
１１    粘着剤層
１２，１５２  綴じ部
１３    粘着テープ
１４    内容物投入枠
１５，１３０，１５３，１５４，１５５  剥離紙
３１    宛先情報
３２    内容物関連情報
１００  基紙
１０１  メール便表示絵柄
１１０  透過性基材
１３１  粘着剤
１５１  切込み（ハーフカット）
【図１】
2006224971.tif 000003
【図２】
2006224971.tif 000004
【図３】
2006224971.tif 000005
【図４】
2006224971.tif 000006
【図５】
2006224971.tif 000007